(57)【要約】【課題】会議などにおいて出席者に各々配置された画像表示装置に、出席者各自が見たい頁を自由に表示させることができ、しかも、その画像表示装置として安価なものを採用することを可能とする画像提供装置及びプログラムを提供すること。【解決手段】画データを取得する画データ取得手段と、取得した画データから頁単位の画データを生成する頁画データ生成手段と、該手段により生成された頁単位の画データを画像表示装置２０へ出力する出力手段と、を備える画像提供装置１。【選択図】図２
2005080031.tif 000002
【特許請求の範囲】
【請求項１】
画データを取得する画データ取得手段と、取得した画データから頁単位の画データを生成する頁画データ生成手段と、該手段により生成された頁単位の画データを画像表示装置へ出力する出力手段と、を備えることを特徴とする画像提供装置。
【請求項２】
前記画データ取得手段が取得する画データは印刷用データ形式のものであり、前記頁画データ生成手段は、取得した前記印刷用データ形式の画データを前記画像表示装置が表示可能な形式の画データに変換して頁単位の画データを生成することを特徴とする請求項１記載の画像提供装置。
【請求項３】
前記画像表示装置から特定の頁の画データの要求を受信する頁要求受信手段を更に備え、前記頁画データ生成手段は、前記頁要求受信手段が受信した前記特定の頁の画データを生成することを特徴とする請求項１記載の画像提供装置。
【請求項４】
前記画像表示装置から特定の頁の画データの全体配布の要求を受信する全体配布要求受信手段を更に備え、前記頁画データ生成手段は、前記全体配布要求受信手段が受信した前記特定の頁の画データを生成し、前記出力手段は、該頁画データ生成手段により生成された頁の画データを自装置に接続されている全ての画像表示装置へ出力することを特徴とする請求項１記載の画像提供装置。
【請求項５】
コンピュータを、画データを取得する画データ取得手段、取得した画データから頁単位の画データを生成する頁画データ生成手段、該手段により生成された頁単位の画データを画像表示装置へ出力する出力手段、として機能させることを特徴とするプログラム。
【発明の詳細な説明】
【技術分野】
【０００１】
本発明は、１又は複数の画像表示装置へ画データを送信することにより画像を提供する画像提供装置及び該装置としてコンピュータを機能させるためのプログラムに関し、特に、会議などにおいて、発表資料の画像を多数の参加者の席に設置された画像表示装置へ提供する画像提供装置及びプログラムに関する。
【背景技術】
【０００２】
多くの会議では、参加者に配布される会議資料は、紙に印刷されたものである。したがって、会議資料の作成には、印刷コストや資料を配布する手間が生じる。また、配布された会議資料の多くは、会議終了後に処分されることが多く、そのような場合には、紙資源の無駄な消費となる。
【０００３】
会議資料の画像ファイルを記憶したノート型パーソナルコンピュータを会議の各席に設置して、司会者が指示する頁を各参加者の操作によりそのパーソナルコンピュータの画面に表示させながら会議を進行させる方法が採られることがある。会議室の正面に大型スクリーンを設置して、会議資料を映写する方法が採られることも多い。これらの方法によれば、紙に印刷された会議資料を作成して配布する必要がないので、紙資源の節約、印刷コストが掛からない等のメリットがある。
【０００４】
会議中にスクリーン（情報表示装置）に表示している会議資料の電子化データの保管場所を参加者の端末装置に送信するようなシステムが特許文献１に開示されている。
【特許文献１】特開２００２−４９５９５号公報
【発明の開示】
【発明が解決しようとする課題】
【０００５】
しかし、多数の出席者に貸与するノート型パーソナルコンピュータを用意するには多くの費用が掛かるという問題がある。また、大型スクリーン等による会議資料の映写では、出席者はスクリーンに映し出された頁しか見ることができない。つまり、出席者の各々が会議資料の見たい頁を好き勝手に見ることができないという問題がある。特許文献１に開示されているシステムも同様にこれらの問題を有する。
【０００６】
本発明は、かかる課題に鑑みてなされたものであり、会議などにおいて出席者に各々配置された画像表示装置に、出席者各自が見たい頁を自由に表示させることができ、しかも、その画像表示装置として安価なものを採用することを可能とする画像提供装置及びプログラムを提供することを目的とする。
【課題を解決するための手段】
【０００７】
請求項１記載の画像提供装置は、画データを取得する画データ取得手段と、取得した画データから頁単位の画データを生成する頁画データ生成手段と、該手段により生成された頁単位の画データを画像表示装置へ出力する出力手段と、を備えることを特徴としている。
【０００８】
請求項２記載の画像提供装置は、請求項１記載の画像提供装置において、前記画データ取得手段が取得する画データは印刷用データ形式のものであり、前記頁画データ生成手段は、取得した前記印刷用データ形式の画データを前記画像表示装置が表示可能な形式の画データに変換して頁単位の画データを生成することを特徴としている。
【０００９】
請求項３記載の画像提供装置は、請求項１記載の画像提供装置において、前記画像表示装置から特定の頁の画データの要求を受信する頁要求受信手段を更に備え、前記頁画データ生成手段は、前記頁要求受信手段が受信した前記特定の頁の画データを生成することを特徴としている。
【００１０】
請求項４記載の画像提供装置は、請求項１記載の画像提供装置において、前記画像表示装置から特定の頁の画データの全体配布の要求を受信する全体配布要求受信手段を更に備え、前記頁画データ生成手段は、前記全体配布要求受信手段が受信した前記特定の頁の画データを生成し、前記出力手段は、該頁画データ生成手段により生成された頁の画データを自装置に接続されている全ての画像表示装置へ出力することを特徴としている。
【００１１】
請求項５記載のプログラムは、コンピュータを、画データを取得する画データ取得手段、取得した画データから頁単位の画データを生成する頁画データ生成手段、該手段により生成された頁単位の画データを画像表示装置へ出力する出力手段として機能させるものであることを特徴としている。
【発明の効果】
【００１２】
請求項１記載の画像提供装置によれば、受信した画データが多頁で構成されるものであっても、画像表示装置に対しては、頁単位で画データが出力されるので、画像表示装置が画像を表示させるために必要なメモリは、１頁の画データを表示するのに必要な容量を確保すればよい。したがって、出力先の画像表示装置として安価なものを採用することができる。
【００１３】
請求項２記載の画像提供装置によれば、印刷用データ形式の画データであっても画像表示装置に提供される画データは同画像表示装置が表示可能な形式のものに変換されるので、パーソナルコンピュータ等において様々なアプリケーションソフトにより作成した画データを画像表示装置へ提供することができる。
【００１４】
請求項３記載の画像提供装置によれば、特定頁の画データの要求を受付け、受付けた頁の画データを画像表示装置に対して出力するので、画像表示装置に特定頁の画データを要求する機能を持たせれば、画像表示装置のメモリの容量が１頁の画データを表示することができる程度であっても、画像表示装置装置に表示される画像の改頁が可能となる。
【００１５】
請求項４記載の画像提供装置は、特定の頁の画データの全体配布の要求を受付けると、前記特定頁の画データを、接続されている全ての画像表示装置に対して前記特定の頁の画データを出力するので、１の画像表示装置から他の画像表示装置へ表示させる頁を指示することができる。この機能を利用して、例えば、会議の司会者等が会議出席者に見せる会議資料の頁を１の画像表示装置において操作しながら会議を進行させることが可能となる。
【００１６】
請求項５記載のプログラムは、これをコンピュータに組み込むことにより請求項１記載の画像提供装置を構成することができるので、前記した請求項１記載の画像提供装置と効果と同様の効果が得られる。
【発明を実施するための最良の形態】
【００１７】
以下本発明の実施の形態に係る画像提供装置について図面に基づき説明する。本発明の実施の形態に係る画像提供装置として、ファクシミリ通信機能、インターネットファクシミリ通信機能、クライアントＰＣ（パーソナルコンピュータ）との通信機能など複数の通信機能を備えた複合機型の通信端末装置を例に挙げて説明する。図１にその画像提供装置１の構成例を示す。すなわち、画像提供装置１は、ＣＰＵ（中央処理装置）２、ＲＡＭ（ランダムアクセスメモリー）３、ＲＯＭ（リードオンリーメモリー）４、コーデック５、モデム６、ＮＣＵ（ネットワークコントロールユニット）７、読取部８、記録部９、表示部１０、操作部１１、ＬＡＮインターフェース１２及び外部端末通信インターフェース１３、画像フォーマット変換回路Ｃ、画像メモリＭ、記録媒体読取装置Ｋを備えたものであって、各部２乃至１３、Ｃ、Ｍ、及びＫは通信可能にバス１４によって接続されている。
【００１８】
ＣＰＵ２は、ＲＯＭ４に格納されたプログラムに従って、この画像提供装置１を構成する各部を制御する。ＲＡＭ３は、画データ、各種設定情報等を記憶する記憶部として機能する。ＲＯＭ４は、ＣＰＵ２によりこの画像提供装置１の各部の動作が制御されるための各種プログラムを記憶している。
【００１９】
コーデック５は、画データを送信のためにＭＨ、ＭＲ、ＭＭＲ方式等により符号化し、受信した画データを復号する。また、電子メール添付ファイル形式として一般的に利用されている画像フォーマットであるＴＩＦＦ（Ｔａｇｇｅｄ  Ｉｍａｇｅ  Ｆｉｌｅ  Ｆｏｒｍａｔ）形式にも対応して符号化、復号する。
【００２０】
モデム６は、例えばＩＴＵ−Ｔ（国際電気通信連合）の勧告Ｖ．３４規格又はこれと同様のものに従った送受信データの変調及び復調を行う。ＮＣＵ７は、電話回線を制御して電話をかけたり切ったりする回線網制御装置でありＰＳＴＮ（公衆交換電話網）１５に接続されている。
【００２１】
読取部８は、原稿の画データを読み取って、白黒２値化した画データを出力する。記録部９は、例えば電子写真方式のものからなり、受け取った画データを記録紙上に記録する。
【００２２】
表示部１０は、例えば操作部１１に並設されたＬＣＤ（Ｌｉｑｕｉｄ  Ｃｒｙｓｔａｌ  Ｄｉｓｐｌａｙ）からなり、各種の画面情報を表示する。操作部１１は、ファクシミリ番号、メールアドレス等の各種情報を入力する入力キーなどを具備する。オペレータによる各種操作はこの操作部１１から行われる。
【００２３】
ＬＡＮインターフェース１２は、ＬＡＮ（ローカル・エリア・ネットワーク）１６と画像提供装置１と通信可能に接続するインターフェースである。ＬＡＮ１６には、クライアントＰＣ１７、ルータ１８等が設置されており、クライアントＰＣ１７から画像提供装置１が有する各種機能を利用することができるようになっている。なお、クライアントＰＣ１７には、印刷用データ形式の１つであるＰＤＬ形式の画データを画像提供装置１に対して出力するためのプリントドライバプログラムが組み込まれており、クライアントＰＣ１７のユーザがアプリケーション上で前記プリントドライバプログラムを実行することにより、そのアプリケーションで作成した原稿がＰＤＬ形式の画データに変換されて画像提供装置１に送信することができるようになっている。
【００２４】
外部端末通信インターフェース１３は、画像提供装置１と１又は複数の画像表示装置２０とを通信可能に接続するインターフェースである。通信手段としては、ＵＳＢ、Ｂｌｕｅｔｏｏｔｈ、無線ＬＡＮ（ＩＥＥＥ８０２．１１ｂ等）、有線ＬＡＮなどを用いることができる。
【００２５】
画像フォーマット変換回路Ｃは、受信したＰＤＬ（Page Description Language；ページ記述言語）形式の画データをＰＤＦ（Portable Document Format）形式又はＴＩＦＦ（Tagged Image File Format）形式の画データへフォーマット変換する回路である。変換後のファイル形式は、画像表示装置２０が対処可能なものであればよく、従って、画像表示装置２０が対処可能なものであれば、上記ＰＤＦ、ＴＩＦＦ以外のファイル形式にフォーマット変換する回路を用いてもよい。
【００２６】
画像メモリＭは、画データを記憶するメモリであり、特に、画像提供装置１が取得した画像表示装置２０への提供用画データを記憶するメモリである。記録媒体読取装置Ｋは、該装置Ｋにセットされた記録媒体にアクセスして記録されているデータを読取る装置である。
【００２７】
上記構成を備える画像提供装置１は、図２に示すように、クライアントＰＣ１７から提供用画像であることが指定されたＰＤＬ形式の画データを受信（取得）するとフォーマット変換回路ＣによりＰＤＦ（又はＴＩＦＦ）形式の画データに変換し、これを画像メモリＭの所定領域に格納する。一方、他の電子メール端末装置ＥやＧ３ファクシミリ装置Ｆから提供用画像であることが指定されたＰＤＦ形式の画データ又はＴＩＦＦ形式の画データを受信すると、それを画像メモリＭの所定領域に格納する。したがって、画像メモリＭの前記所定領域には、頁情報を含むＰＤＦ又はＴＩＦＦ形式の画データが格納されることとなる。なお、前記した提供用画像であることの指定は、通信ポート番号、電子メール内に記載された特定情報、Ｆコード通信の利用など種々の手段により行われる。
【００２８】
図３に、外部端末通信インターフェース１３を介して接続される画像表示装置２０の構成例を示す。すなわち、画像表示装置２０は、表示部２１、制御部２２、画像メモリ２３、操作部２４、通信インタフェース２５等で構成されている。表示部２１は、ＬＣＤ等からなり、制御部２２から出力された画データの画像を表示する。
【００２９】
制御部２２は、画像表示装置２０の各部を制御する。具体的には、制御部２２は、通信インタフェース２５を通じて画像提供装置１から画データを受信して画像メモリ２３に格納するとともに表示部２１に出力する。そして、オペレータの操作により操作部２４から入力される操作信号に従って、後述する各種の処理動作を実行する。
【００３０】
操作部２４は、「頁一覧」キー２８、「決定」キー２９、「前頁」キー３０、「次頁」キー３１、「他へ配信」キー３２、カーソルキー３３等を備え、オペレータによりこれらのキーが押下されると、制御部２２は、各キーに割り当てられた機能を実行する。すなわち、「頁一覧」キー２８が押下されると、制御部２２は、画像提供装置１に対して頁一覧を要求し、その応答として画像提供装置１から受信した頁一覧情報Ｘを、図４（ａ）から（ｂ）に示すように、現在表示されている頁の画データに重ねて、表示部２１に表示する。表示された頁一覧情報においては、カーソルキー３３により選択ている頁情報が他の頁情報と識別可能に表示（本実施の形態では、選択されている頁情報が反転表示Ｘ’される。
【００３１】
表示された頁一覧の中から何れかの頁情報がカーソルキー３３の操作により選択され、「決定」キー２９が押下されると、制御部２２は画像提供装置１に対して当該選択された頁の画データを要求し、その応答として画像提供装置１から当該頁の画データを受信し、これを表示部２１表示する。また、表示部２１において何れかの画像が表示されているときに、「前頁」キー３０又は「次頁」キー３１が押下されると、制御部２２は、現在表示部２１に表示されている画データの前頁又は次頁の画データを画像提供装置１に対して要求し、その応答として画像提供装置１から受信した前頁又は次頁の画データを表示部２１に表示する。
【００３２】
表示部２１において何れかの画像が表示されているときに、「他へ配信」キー３２が押下されると、制御部２２は、現在表示している画データと同じ頁の画データを他の画像表示装置２０に対して送信することを画像提供装置１に対して要求し、画像提供装置１はこれに応じて、当該頁の画データをその他の画像表示装置２０に出力する。
【００３３】
画像表示装置２０の画像メモリ２３は、画像表示装置２０が受信した画データを表示部２１に出力するために一時的に記憶する。該メモリには、受信した１ページ分の画データが記憶されるようになっており、画像表示装置２０が新たに画データを受信すると、制御部２２は、記憶している古い画データを消去して新たに受信した画データを記憶させる。
【００３４】
以下、画像提供装置１に複数の画像表示装置２０がインターフェース１３、２５を介して接続され、画像提供装置１から画像表示装置２０へ画データを提供するために実行される画像提供装置１及び画像表示装置２０の処理動作について図５乃至図８に示すフローチャートに基づいて説明する。なお、このフローチャートに基づいて説明する画像提供装置１の処理動作は、ＲＯＭ４に格納されているプログラムに基づいてＣＰＵ２が発行する命令に従って行われる。また、画像表示装置２０が実行する処理動作は、制御部が発行する命令に従って行われる。
【００３５】
まず最初に、画像提供装置１において、画像表示装置２０に提供するための画データの取得が行われる（Ｓ１）。提供用画データの取得は、クライアントＰＣ２０、他の電子メール端末装置Ｅ、他のＧ３ファクシミリ装置Ｆ等から提供用画像であることを指定する情報とともに画データを受信することによって行われる。また、読取部８に紙原稿をセットし、操作部１１において提供用画像として読取ることを指定するための所定操作を行うことにより、読取部８にセットされた原稿は、提供用画データとして読取られる（取得される）。また、記録媒体読取装置Ｋに画データが格納された記録媒体をセットし、操作部１１において提供用画像として読取ることを指定するための所定操作を行うことにより、記録媒体読取装置Ｋにセットされた記録媒体の画データは、提供用画データとして読取られる（取得される）。
【００３６】
前記Ｓ１において取得した画データがＰＤＬ形式（印刷用データ形式）のものであれば（Ｓ２：ＹＥＳ）、フォーマット変換回路Ｃにより、その取得した画データを画像表示装置２０が表示可能な形式、本実施の形態においてはＰＤＦ（又はＴＩＦＦ）形式、の画データにフォーマット変換した後（Ｓ３）、画像メモリＭの所定領域に格納する（Ｓ４）。
【００３７】
前記Ｓ１において、取得した画データがＰＤＬ形式のものでない場合は、それがＴＩＦＦ形式若しくはＰＤＦ形式であるか否かを判断し（Ｓ５、Ｓ６）、ＴＩＦＦ形式若しくはＰＤＦ形式であれば、そのまま、画像メモリＭの所定領域に格納する。取得した画データがＴＩＦＦ形式のものでもＰＤＦ形式のものでもない場合は（Ｓ５：ＮＯ、Ｓ６：ＮＯ）、取得した画データが提供用画データのフォーマットとして対処できないものであることをオペレータに報知する（Ｓ７）。該報知は、例えば、その旨の情報の表示部での表示、記録部９による前記情報の記録紙への印字、発音手段（不図示）による特定音の発生などにより行われる。
【００３８】
画像提供装置１は、上記のようにして画像メモリＭに格納した画データから頁単位の画データや頁一覧情報を生成し、これを画像表示装置２０へ出力する。すなわち、図６のフローチャートに示すように、提供用画データの特定の頁の指定及び該頁の画データを出力するための操作が操作部１１においてされると（Ｓ５１）、画像メモリＭに格納している画データから指定された頁の画データを生成し（Ｓ５２）、これを自装置１に接続されている全ての画像表示装置１へ出力する（Ｓ５３）。
【００３９】
画像表示装置２０から特定の頁を指定した画データの要求を受信した場合は（Ｓ５４）、画像メモリＭに格納している画データから指定された前記特定の頁の画データを生成し（Ｓ５５）、これを当該画像表示装置２０のみに出力する（Ｓ５６）。
【００４０】
画像表示装置２０から頁一覧の要求を受信した場合は（Ｓ５７）、画像メモリＭに格納している画データの頁数を検出して頁一覧情報を生成し（Ｓ５８）、これを当該画像表示装置２０のみに出力する（Ｓ５９）。
【００４１】
画像表示装置２０から特定の頁の全体配布の要求を受信した場合は（Ｓ６０）、指定された前記特定の頁の画データを生成し（Ｓ６１）、これを自装置１に接続されている全ての画像表示装置２０に対して出力する（Ｓ６２）。
【００４２】
次に画像表示装置２０の処理動作について図７及び図８のフローチャートに基づいて説明する。画像表示装置２０が画像提供装置１から画データを受信すると（Ｓ１０１）、受信した画データを画像メモリ２３に格納するとともに（Ｓ１０２）、表示部２１にその画データを表示する（Ｓ１０３）。
【００４３】
受信した画データの画像が表示部２１に表示された状態で、何れかの画像表示装置２０において「頁一覧」キー２８が押下されると（Ｓ１５１）、当該画像表示装置２０は、画像提供装置１に対して所定信号を出力することにより頁一覧情報を要求する（Ｓ１５２）。すると、画像提供装置１は、該要求の応答として頁一覧情報を出力し（前記Ｓ５４乃至Ｓ５６）、画像表示装置２０は、出力された頁一覧情報を受信して（Ｓ１５３）、図４に示したように、表示部２１に頁一覧情報Ｘを表示している画像に重ねて表示するとともに、選択中の頁情報の強調表示Ｘ’を行う（Ｓ１５４）。
【００４４】
頁一覧情報Ｘが表示されているときに、カーソルキー３３が押下されると（１５５）、選択されているファイル（強調表示）がカーソルキーの方向に従って移動し、「決定」キーが押下されると（Ｓ１５６）、頁一覧情報Ｘが消去され（Ｓ１５７）、画像提供装置１に対して頁指定情報を含む所定信号を出力することにより、選択指定された頁の画データを要求する（Ｓ１５８）。画像提供装置１は、該要求の応答として指定された頁の画データを出力し（前記Ｓ５４乃至Ｓ５６）、画像表示装置２０は、出力されたその画データを受信して（Ｓ１５９）、画像メモリに格納するとともに（Ｓ１６０）、表示部２１に表示する（Ｓ１６１）。
【００４５】
画像が表示部２１に表示された状態で、何れかの画像表示装置２０において「次頁」キー３１が押下されると（Ｓ１６２）、画像提供装置１に対して頁指定情報を含む所定信号を出力することにより、次頁の画データを要求する（Ｓ１６３）。なお、頁指定情報は現在表示部２１に表示されている画データの頁に１頁加算した値を指定する。画像提供装置１は、該要求の応答として指定された頁の画データを出力し（前記Ｓ５４乃至Ｓ５６）、画像表示装置２０は、出力されたその画データを受信して（Ｓ１６４）、画像メモリ２３に格納するとともに（Ｓ１６５）、表示部２１に次頁の画データを表示する（Ｓ１６６）。
【００４６】
画像が表示部２１に表示された状態で、何れかの画像表示装置２０において「前頁」キー３０が押下されると（Ｓ１６７）、画像提供装置１に対して頁指定情報を含む所定信号を出力することにより、前頁の画データを要求する（Ｓ１６８）。なお、頁指定情報は現在表示部２１に表示されている画データの頁に１頁減算した値を指定する。画像提供装置１は、該要求の応答として指定された頁の画データを出力し（前記Ｓ５４乃至Ｓ５６）、画像表示装置２０は、出力されたその画データを受信して（Ｓ１６９）、画像メモリ２３に格納するとともに（Ｓ１７０）、表示部２１に前頁の画データを表示する（Ｓ１７１）。
【００４７】
画像が表示部２１に表示された状態で、何れかの画像表示装置２０において「他へ配信」キー３２が押下されると（Ｓ１７２）、画像提供装置１に対して頁指定情報（現在表示されている画データの頁情報）を含む所定信号を出力することにより、現在表示部２１に表示されている頁の画データを他の画像表示装置へ配信することを要求する（Ｓ１７３）。すると、画像提供装置１は、全体配布要求があったと判断して（前記Ｓ６０）、指定された頁の画データを画像提供装置１に接続されている全ての画像表示装置２０に対して出力する（前記Ｓ６１、Ｓ６２）。
【００４８】
以上の説明から明らかなように、本実施の形態に係る画像提供装置１と画像表示装置２０とからなる画像表示システムによれば、提供用画データが多くの頁で構成されるものであっても、画像表示装置２０に対しては、１頁単位で画データが出力されるので、画像表示装置２０の画像メモリ２３の容量は、１頁の画データを表示するのに必要な容量を確保すればよい。また、画像メモリ２３の容量が前記容量しか確保されていなくても、画像表示装置２０の操作部２４で種々のキー操作を行うことにより、改頁や他の画像表示装置２０への同一頁の画データの配信を行うことができる。
【００４９】
また、画像提供装置１は、クライアントＰＣ１７からＰＤＬ形式のデータを受信し、これにフォーマット変換を施して、提供用画像とすることができるので、様々なアプリケーションによって提供用画像を作成することが可能となる。
【００５０】
なお、以上において本発明の実施の形態に係る画像提供装置１として、複合機型のものを例に挙げて説明したが、勿論、本発明は何らかの手段によって画データを取得することができる装置であれば、上記した複合機型の装置に限らず種々タイプの装置に適用することができる。したがって、例えばファクシミリ通信機能を有しないものに本発明を適用する場合は図１に示す、モデム６、ＮＣＵ７、記録部９等のファクシミリ通信機能に関するものは省略可能であり、外部から取得した画データのみを対象とする装置であれば、読取部８等の内部で画データを生成するために必要な機能は省略可能である。
【産業上の利用可能性】
【００５１】
本発明は、例えば、会議などにおいて、発表資料の画像を多数の参加者の席に設置された画像表示装置へ送信するための画像提供装置に適用することができる。
【図面の簡単な説明】
【００５２】
【図１】本発明の実施の形態に係る画像提供装置の構成例、該画像提供装置に接続された画像表示装置、及び画像提供装置が設置されたネットワークの構成例を示した図である。
【図２】本発明の実施の形態に係る画像提供装置が提供用画データを取得し、その画データを画像表示装置へ提供する場合を示した概念図である。
【図３】画像表示装置の構成例を示した図である。
【図４】画像表示装置に表示される頁一覧情報の一例を示した図である。
【図５】本発明の実施の形態に係る画像提供装置が提供用画データを取得する際に実行する処理動作を示したフローチャートである。
【図６】本発明の実施の形態に係る画像提供装置が提供用画データを画像表示装置に出力する際に実行する処理動作を示したフローチャートである。
【図７】画像表示装置が画データを受信したときに実行する処理動作を示したフローチャートである。
【図８】画像表示装置の操作部において各種のキー操作が行われたときに同画像表示装置が実行する処理動作を示したフローチャートである。
【符号の説明】
【００５３】
Ｃ    画像フォーマット変換回路
Ｍ    画像メモリ
１    画像提供装置
２    ＣＰＵ
３    ＲＡＭ
４    ＲＯＭ
２０    画像表示装置
２２    制御部
２３    画像メモリ
２４    操作部
２８    頁一覧キー
２９    決定キー
３０    前頁キー
３１    次頁キー
３２    他へ配信キー
３３    カーソルキー
【図１】
2005080031.tif 000003
【図２】
2005080031.tif 000004
【図３】
2005080031.tif 000005
【図４】
2005080031.tif 000006
【図５】
2005080031.tif 000007
【図６】
2005080031.tif 000008
【図７】
2005080031.tif 000009
【図８】
2005080031.tif 000010